(57)【特許請求の範囲】
【請求項１】
複写機本体に対して固定された固定搬送部と、複写機本体に対して揺動可能に設けられた可動搬送部とからなり、前記可動搬送部はフレームを備え、前記固定搬送部と前記可動搬送部とが協働して紙の搬送を行なうように構成された複写機の紙搬送部に用いるダンパにおいて、
複写機本体に固定されるカバーと、該カバーに収容される軸部を有し前記可動搬送部の前記フレームが一体に回転するように連結される軸状部材とを備え、
前記カバーは筒部と該筒部の先端の壁部とを有し、前記カバーの内部には円状の内周面が延在形成され、
前記軸状部材の前記軸部は、前記内周面の内側に挿入され、前記カバーの前記内周面と該軸部の外周面との間に閉塞された環状の第１の隙間が形成され、
前記カバーと前記軸状部材との間には、前記内周面と同軸上に前記軸状部材の前記軸部が位置するように前記軸状部材の前記軸部の長手方向両端を回転可能に支持する支持手段が設けられ、
前記支持手段は、前記カバーの端部に取着されたせん断ピンを含み、該せん断ピンは、前記軸状部材の前記軸部の先端に前記外周面と同軸上に形成されたせん断ピン挿入孔に挿入されて、このせん断ピン挿入孔の内周面を回転可能に支持し、
前記カバーの前記壁部には雌ねじ部を有する貫通孔が形成され、前記せん断ピンには雄ねじ部が形成され、前記貫通孔の前記雌ねじ部に前記せん断ピンの前記雄ねじ部が螺合することで、前記せん断ピンが、前記カバーの前記壁部に結合されると共に該壁部の前記貫通孔を貫通して延在し且つ前記貫通孔を閉塞するようにし、
前記第１の隙間には粘性体が封入され、
前記粘性体はシリコーン化合物である、
ことを特徴とする複写機の紙搬送部用ダンパ。
【請求項２】
前記第１の隙間に臨む前記軸状部材の前記軸部の前記外周面には、該軸部の長手方向に延在する溝が複数設けられていることを特徴とする請求項１記載の複写機の紙搬送部用ダンパ。
【請求項３】
前記軸状部材の前記軸部の先端面と、この先端面に臨む前記カバーの前記内周面の奥部の壁面との間に第２の隙間が形成され、前記シリコーン化合物はこの第２の隙間にも封入されることを特徴とする請求項１または２記載の複写機の紙搬送部用ダンパ。
【請求項４】
前記第２の隙間に臨む前記軸状部材の前記軸部の前記先端面には、該軸部の半径方向に延在する溝が複数設けられていることを特徴とする請求項３記載の複写機の紙搬送部用ダンパ。
【請求項５】
前記せん断ピン挿入孔の奥面と前記せん断ピンの先端面との間に第３の隙間が形成され、前記シリコーン化合物はこの第３の隙間にも封入されることを特徴とする請求項１乃至４の何れか１項記載の複写機の紙搬送部用ダンパ。
【請求項６】
前記第３の隙間に臨む前記せん断ピンの前記先端面には、前記せん断ピンの半径方向に延在する溝が複数設けられていることを特徴とする請求項５記載の複写機の紙搬送部用ダンパ。
【請求項７】
前記シリコーン化合物は、シリコーンオイルまたはシリコーン生ゴムまたはシリコーンバウンシングパテであることを特徴とする請求項１乃至６の何れか１項記載の複写機の紙搬送部用ダンパ。
【請求項８】
前記シリコーンオイルまたはシリコーン生ゴムまたはシリコーンバウンシングパテは、単体あるいは補強剤、増粘剤等の充填剤を配合した形で使用されることを特徴とする請求項７記載の複写機の紙搬送部用ダンパ。
【発明の詳細な説明】
【０００１】
【発明の属する技術分野】
本発明は、複写機の紙搬送部に用いられるダンパに関する。
【０００２】
【従来の技術】
複写機では、感光体ドラム上に現像された像が転写部において紙へ転写された後、紙は紙搬送部により定着部、排出部へと送り出される。また、両面複写の場合は、紙の片面への転写、定着が行われた後、排出部に送られずに、別の紙搬送部を通った後、残りの片面への転写、定着が行われ、排出部へ送り出される。
前記紙搬送部は、複写機本体に対して固定された固定搬送部と、複写機本体に対して揺動可能に設けられた可動搬送部からなり、可動搬送部は、閉じた状態で固定搬送部と協働して紙の搬送を行ない、開いた状態で、固定搬送部との間に空間を確保するように構成されている。そして、紙詰まりの際には可動搬送部を開き、詰まった紙を取り除けるようにしている。
このような可動搬送部は、複写機本体側に揺動可能に支持されたフレームとしてのガイド板を備え、紙詰まりの際にはこのガイド板が上方に持ち上げられるように構成されている。
【０００３】
【発明が解決しようとする課題】
しかしながら従来の紙搬送部では、詰まった紙を取り除いた後、可動搬送部を固定搬送部上に降ろす時に、可動搬送部の重量により勢いが付き、衝撃音が発生する問題があった。
そこで、ダンパを可動搬送部の取り付け部に介在させることも考えられるが、大型化してしまうことから何ら対策が施されていないのが現状である。
本発明は前記事情に鑑み案出されたものであって、本発明の目的は、小型でしかも衝撃音の発生を防止できる複写機の紙搬送部用ダンパを提供することにある。
【０００４】
【課題を解決するための手段】
前記目的を達成するため本発明は、複写機本体に対して固定された固定搬送部と、複写機本体に対して揺動可能に設けられた可動搬送部とからなり、前記可動搬送部はフレームを備え、前記固定搬送部と前記可動搬送部とが協働して紙の搬送を行なうように構成された複写機の紙搬送部に用いるダンパにおいて、複写機本体に固定されるカバーと、該カバーに収容される軸部を有し前記可動搬送部の前記フレームが一体に回転するように連結される軸状部材とを備え、前記カバーは筒部と該筒部の先端の壁部とを有し、前記カバーの内部には円状の内周面が延在形成され、前記軸状部材の前記軸部は、前記内周面の内側に挿入され、前記カバーの前記内周面と該軸部の外周面との間に閉塞された環状の第１の隙間が形成され、前記カバーと前記軸状部材との間には、前記内周面と同軸上に前記軸状部材の前記軸部が位置するように前記軸状部材の前記軸部の長手方向両端を回転可能に支持する支持手段が設けられ、前記支持手段は、前記カバーの端部に取着されたせん断ピンを含み、該せん断ピンは、前記軸状部材の前記軸部の先端に前記外周面と同軸上に形成されたせん断ピン挿入孔に挿入されて、このせん断ピン挿入孔の内周面を回転可能に支持し、前記カバーの前記壁部には雌ねじ部を有する貫通孔が形成され、前記せん断ピンには雄ねじ部が形成され、前記貫通孔の前記雌ねじ部に前記せん断ピンの前記雄ねじ部が螺合することで、前記せん断ピンが、前記カバーの前記壁部に結合されると共に該壁部の前記貫通孔を貫通して延在し且つ前記貫通孔を閉塞するようにし、前記第１の隙間には粘性体が封入され、前記粘性体はシリコーン化合物であることを特徴とする。
また、本発明は、前記第１の隙間に臨む前記軸状部材の前記軸部の前記外周面には、該軸部の長手方向に延在する溝が複数設けられていることを特徴とする。
また、本発明は、前記軸状部材の前記軸部の先端面と、この先端面に臨む前記カバーの前記内周面の奥部の壁面との間に第２の隙間が形成され、前記シリコーン化合物はこの第２の隙間にも封入されることを特徴とする。
また、本発明は、前記第２の隙間に臨む前記軸状部材の前記軸部の前記先端面には、該軸部の半径方向に延在する溝が複数設けられていることを特徴とする。
また、本発明は、前記せん断ピン挿入孔の奥面と前記せん断ピンの先端面との間に第３の隙間が形成され、前記シリコーン化合物はこの第３の隙間にも封入されることを特徴とする。
また、本発明は、前記第３の隙間に臨む前記せん断ピンの前記先端面には、前記せん断ピンの半径方向に延在する溝が複数設けられていることを特徴とする。
また、本発明は、前記シリコーン化合物が、シリコーンオイルまたはシリコーン生ゴムまたはシリコーンバウンシングパテであることを特徴とする。
また、本発明は、前記シリコーンオイルまたはシリコーン生ゴムまたはシリコーンバウンシングパテが、単体あるいは補強剤、増粘剤等の充填剤を配合した形で使用されることを特徴とする。
【０００５】
本発明では、可動搬送部を緩やかに揺動させる時にはダンパにおいて小さい抵抗が生じるが、急激に揺動しようとする時には抵抗が急激に増大する。
したがって、可動搬送部を開き、詰まった紙を取り除いてから閉じる時に、従来のように、可動搬送部の揺動速度が急激に増大せず、衝撃音の発生を防止できる。
【０００６】
【発明の実施の形態】
以下、本発明の実施の形態を図面を参照して説明する。
図１は紙搬送部の正面図、図２は同平面図、図３はダンパ部分の拡大平面図、図４はダンパ部分の断面図を示す。
図１に示す紙搬送部１２は、複写機本体に対して固定された固定搬送部１４と、固定搬送部１４上において複写機本体に対して揺動可能に設けられた可動搬送部１６を備えている。
固定搬送部１４は、複写機本体１８に取着されたガイド板１４０２と、ガイド板１４０２に取着された駆動ローラ１４０４を備え、可動搬送部１６は、複写機本体１８に揺動可能に取り付けられたガイド板１６０２（特許請求の範囲のフレームに相当）と、ガイド板１６０２に回転可能に取り付けられた従動ローラ１６０４を備え、従動ローラ１６０４は、可動搬送部１６が固定搬送部１４上に合わされた状態で駆動ローラ１４０４に弾接し、駆動ローラ１４０４が回転駆動することで従動ローラ１６０４もこれに追従して回転するように構成されている。
【０００７】
前記可動搬送部１６のガイド板１６０２の基部両端には支軸１６１０が突設され、この支軸１６１０はダンパ２０を介して複写機本体１８に揺動可能に支持されている。
前記ダンパ２０は、図４に示すように、カバー２２や軸状部材２４、せん断ピン２６、粘性体２８などにより構成されている。
【０００８】
前記カバー２２は、図５(Ａ)、(Ｂ)に示すように、フランジ２２０２と筒部２２０４を備える。
前記フランジ２２０２の外縁寄りにはボルト挿通孔２２０６が形成され、筒部２２０４の反対に位置するフランジ２２０２の端面には、内径の大きい第１孔２２０８と、この第１孔２２０８より内径の小さい第２孔２２１０が開放状に形成され、さらに、第２孔２２１０よりも小さい内径でフランジ２２０２と筒部２２０４にわたり第３孔２２１２が形成されている。また、筒部２２０４の先端の壁部２２１４には雌ねじ２２１６が貫通形成されている。なお、第３孔２２１２の内周面が特許請求の範囲の円状の内周面に相当している。
【０００９】
前記軸状部材２４は、図６(Ａ)、(Ｂ)に示すように、フランジ２４０２を挟んで第１軸部２４０４と第２軸部２４０６が同軸上に形成されている。
前記フランジ２４０２には、複写機本体１８側の壁部１８０２の孔１８０４に挿入される挿入部２４０８が形成されている。
前記第１軸部２４０４には嵌合孔２４１２が形成され、嵌合孔２４１２にはキー溝２４１４が形成されている。
前記第２軸部２４０６（特許請求の範囲の軸部に相当）には、第２軸部２４０６の先端面からせん断ピン挿入孔２４１６が同軸上に所定の深さで形成されている。
前記第２軸部２４０６の外周面には周方向に等間隔をおいて４つのＶ溝２４１８が第２軸部２４０６の延在方向に沿って延在形成され、せん断ピン挿入孔２４１６の周囲の第２軸部２４０６の環状の先端面には、第２軸部２４０６の半径方向に延在する溝２４１９が４つ形成されている。
【００１０】
せん断ピン２６は、図７(Ａ)、(Ｂ)に示すように、頭部２６０２と軸部２６０４を備えている。
軸部２６０４には雄ねじ２６０６が形成され、また、軸部２６０４の端面には十字状の溝２６０８が形成されている。
【００１１】
このようなカバー２２、軸状部材２４、せん断ピン２６などからなるダンパ２０は次のように組み立てられ、可動搬送部１６のガイド板１６０２を揺動可能に支持している。
すなわち、図４に示すように、カバー２２の雌ねじ２２１６に雄ねじ２６０６を螺合させてせん断ピン２６がカバー２２の壁部２２１４に結合される。
次に、粘性体２８がカバー２２の第３孔２２１２に注入される。
次に、軸状部材２４の第２軸部２４０６のフランジ２４０２寄り部分にＯリング３０が装着され、第２軸部２４０６がカバー２２の第３孔２２１２に挿入される。これにより、せん断ピン２６の軸部２６０４が軸状部材２４のせん断ピン挿入孔２４１６に挿入される。
【００１２】
この状態で軸状部材２４は、フランジ２４０２の外周面がカバー２２の第１孔２２０８により回転可能に支持され、せん断ピン挿入孔２４１６の内周面がせん断ピン２６の軸部２６０４により回転可能に支持され、第２軸部２４０６の長手方向両端がカバー２２とせん断ピン２６により回転可能に支持される。
すなわち、本実施の形態では、第２軸部２４０６を第３孔２２１２の内周面の内側で内周面と同軸上に支持する支持手段が、前記フランジ２４０２の外周面、カバー２２の第１孔２２０８、せん断ピン挿入孔２４１６の内周面、せん断ピン２６の軸部２６０４により構成されている。
また、第２軸部２４０６の外周面と第３孔２２１２の内周面との間の環状の第１の隙間３２に粘性体２８が封入され、第２軸部２４０６の先端と壁部２２１４の内面との間の環板状の第２の隙間３４に粘性体２８が封入され、さらに、せん断ピン２６の軸部２６０４の先端とせん断ピン挿入孔２４１６の底面との間の円板状の第３の隙間３６に粘性体２８が封入されることになる。
【００１３】
このようにカバー２２、軸状部材２４、せん断ピン２６などを組み付けた後、軸状部材２４の挿入部２４０８にワッシャ３８を装着し、複写機本体１８側の壁部１８０２の孔１８０４に、ワッシャ３８を装着した軸状部材２４の挿入部２４０８を挿入し、フランジ２２０２のボルト挿通孔２２０６に挿通したボルト４０によりナット４２を介してフランジ２２０２を壁部１８０２に締結する。これにより、軸状部材２４のフランジ２４０２の側面はワッシャ３８が介在することから壁部１８０２には直接接触しなくなる。
そして、可動搬送部１６のガイド板１６０２の支軸１６１０を軸状部材２４の嵌合孔２４１２に嵌合し、キー溝２４１４、キー４４を介して支軸１６１０と軸状部材２４が一体回転するように結合する。
【００１４】
前記粘性体２８としては、シリコーンオイル、シリコーン生ゴム、シリコーンバウンシングパテ等のシリコーン化合物が用いられる。
シリコーンオイルは、ジメチルシリコーンオイルに代表されるもので、粘度が１０５センチストークス以上のものが使用される。
シリコーン生ゴムは、分子量が１０５〜１０６、粘度が１０６〜１０８センチストークスの粘稠な高分子体であり、ジメチルシリコーン生ゴム、メチルビニルシリコーン生ゴム、メチルフェニルビニルシリコーン生ゴム、フロロシリコーン生ゴム等が挙げられる。
シリコーンバウンシングパテは、ジメチルシロキサンをホウ酸を触媒として重合してなるホウ素含有シロキサンポリマーで、ゆっくり変形させると粘性流体のように振る舞い、早く変形させると剛体のように振る舞うダイラタンシー現象を示す。
これらシリコーンオイル、シリコーン生ゴムおよびシリコーンバウンシングパテは、単体あるいは補強剤、増粘剤等の充填剤を配合した形で使用される。前記充填剤としてはシリカ微粉末が挙げられる。
前記シリコーン化合物の種類、前記隙間の大きさ、溝の数等を調整することにより、必要とする回転トルクを得ることができる。
【００１５】
本実施の形態では、粘性体２８としてのシリコーン化合物が前記隙間３２、３４、３６に封入され、軸状部材２４がカバー２２に対して回転変位する際に抵抗を生じ、軸状部材２４および支軸１６１０に抵抗として作用する。
この場合、第１の隙間３２に臨む第２軸部２４０６の外周面に４つのＶ溝２４１８が形成され、また、第２の隙間３４に臨む第２軸部２４０６の先端面に４つの溝２４１９が形成され、また、第３の隙間３６に臨むせん断ピン２６の軸部２６０４の端面に十字状の溝２６０８が形成されているので、各隙間３２、３４、３６においてシリコーン化合物の抵抗としての機能がより効率良く発揮される。
【００１６】
本実施の形態によれば、軸状部材２４の第２軸部２４０６、すなわち可動搬送部１６を緩やかに揺動させる時にはダンパ２０において小さい抵抗が生じるが、急激に揺動しようとする時には抵抗が急激に増大する。
したがって、紙詰まりの際には可動搬送部１６を開き、詰まった紙を取り除いてから閉じる時に、従来のように、可動搬送部１６の揺動速度が急激に増大することがなくなり、衝撃音の発生を防止できる。
しかも、ダンパ２０は、カバー部材２２と軸状部材２４とで形成される隙間３２、３４、３６にシリコーン化合物を封入する簡単な構造であるため、小型化でき、したがって、紙搬送部１２を大型化することなくダンパ２０を組み込むことができる。
【００１７】
【発明の効果】
以上の説明で明らかなように本発明は、複写機本体に対して固定された固定搬送部と、複写機本体に対して揺動可能に設けられた可動搬送部とからなり、前記可動搬送部はフレームを備え、前記固定搬送部と前記可動搬送部とが協働して紙の搬送を行なうように構成された複写機の紙搬送部に用いるダンパにおいて、複写機本体に固定されるカバーと、該カバーに収容される軸部を有し前記可動搬送部の前記フレームが一体に回転するように連結される軸状部材とを備え、前記カバーは筒部と該筒部の先端の壁部とを有し、前記カバーの内部には円状の内周面が延在形成され、前記軸状部材の前記軸部は、前記内周面の内側に挿入され、前記カバーの前記内周面と該軸部の外周面との間に閉塞された環状の第１の隙間が形成され、前記カバーと前記軸状部材との間には、前記内周面と同軸上に前記軸状部材の前記軸部が位置するように前記軸状部材の前記軸部の長手方向両端を回転可能に支持する支持手段が設けられ、前記支持手段は、前記カバーの端部に取着されたせん断ピンを含み、該せん断ピンは、前記軸状部材の前記軸部の先端に前記外周面と同軸上に形成されたせん断ピン挿入孔に挿入されて、このせん断ピン挿入孔の内周面を回転可能に支持し、前記カバーの前記壁部には雌ねじ部を有する貫通孔が形成され、前記せん断ピンには雄ねじ部が形成され、前記貫通孔の前記雌ねじ部に前記せん断ピンの前記雄ねじ部が螺合することで、前記せん断ピンが、前記カバーの前記壁部に結合されると共に該壁部の前記貫通孔を貫通して延在し且つ前記貫通孔を閉塞するようにし、前記第１の隙間には粘性体が封入され、前記粘性体はシリコーン化合物である構成とした。
そのため、可動搬送部が急激に揺動しようとする時にはダンパの抵抗が急激に増大し、小型でしかも衝撃音の発生を防止できる複写機の紙搬送部用ダンパが得られる。
【図面の簡単な説明】
【図１】紙搬送部の正面図である。
【図２】紙搬送部の平面図である。
【図３】ダンパ部分の拡大平面図である。
【図４】ダンパ部分の断面図である。
【図５】（Ａ）はカバーの側面図、（Ｂ）はカバーの断面正面図である。
【図６】（Ａ）は軸状部材の断面正面図、（Ｂ）は軸状部材の側面図である。
【図７】（Ａ）はせん断ピンの側面図、（Ｂ）はせん断ピンの断面正面図である。
【符号の説明】
１２  紙搬送部
１６  可動搬送部
２０  ダンパ
２２  カバー
２４  軸状部材
２６  せん断ピン
２８  粘性体
３２，３４，３６  隙間
２４１８，２４１９，２６０８  溝
【図１】
0004082479.tif 000002
【図２】
0004082479.tif 000003
【図３】
0004082479.tif 000004
【図４】
0004082479.tif 000005
【図５】
0004082479.tif 000006
【図６】
0004082479.tif 000007
【図７】
0004082479.tif 000008